(57)【特許請求の範囲】
【請求項１】
光出射方向を前方とする照明器具であって、
器具本体部と、
前記器具本体部に保持された光源部と、
前記光源部の光出射側に配置され、前記器具本体部に取り付けられた枠体部と、
前記器具本体部の外部に設置され、前記光源部を点灯させるための電源部と、
前記光源部と前記電源部とを電気的に接続するための電力線とを備え、
前記器具本体部は、前記光源部を囲むように設けられた壁部を有し、
前記枠体部は、前記器具本体部に向かって突出し、少なくとも一部が前記壁部の内側に位置する突出部を有し、
前記電力線は、当該照明器具の前後方向に屈曲しながら前記突出部と前記壁部との間を通って前記器具本体部の外部に引き出されている
照明器具。
【請求項２】
前記壁部の前記突出部に対向する部分には、前記電力線を前記器具本体部の外部に引き出すための孔部が設けられている
請求項１に記載の照明器具。
【請求項３】
前記電力線は、前記突出部の先端部で当該照明器具の前方に向けて折り曲げられ、前記孔部で当該照明器具の後方に向けて折り曲げられて前記孔部から引き出される
請求項２に記載の照明器具。
【請求項４】
前記器具本体部には、前記枠体部に向かって突出し、かつ、互いに向かい合う一対の対向壁部が設けられており、
前記一対の対向壁部は、前記孔部における前記壁部から前記器具本体部の内側に向けて設けられており、
前記一対の対向壁部の間の距離と、前記一対の対向壁部の間における前記突出部の幅とは、略一致している
請求項２又は３に記載の照明器具。
【請求項５】
前記孔部の開口幅は、前記電力線の太さ又は前記電力線を覆う保護チューブの太さと略一致している
請求項２〜４のいずれか１項に記載の照明器具。
【請求項６】
前記電力線の前記器具本体部の外部に引き出された部分は、前記器具本体部の外面において固定部材によって固定されている
請求項１〜５のいずれか１項に記載の照明器具。
【請求項７】
前記電力線は、略Ｓ字状又は略Ｚ字状に曲げられている
請求項１〜６のいずれか１項に記載の照明器具。
【発明の詳細な説明】
【技術分野】
【０００１】
本発明は、照明器具に関する。
【背景技術】
【０００２】
従来、照明器具として、例えば、ダウンライトのように天井等の被取付部に埋め込み配設されて下方に光を照射する天井埋込型照明器具等が知られている。
【０００３】
この種の照明器具は、器具本体部に固定された光源部と、器具本体部に取り付けられた枠体部と、器具本体部の外部に設置され、光源部を点灯させるための電源部と、光源部と電源部とを電気的に接続するための電力線（電源線）とを備えている。
【０００４】
光源部は、例えば光源としてＬＥＤ（Ｌｉｇｈｔ  Ｅｍｉｔｔｉｎｇ  Ｄｉｏｄｅ）を有しており、器具本体部に固定される。電力線の一方端は、器具本体部に固定された光源部と電気的に接続されている。一方、電力線の他方端は、器具本体部から引き出されて電源部と電気的に接続される。
【０００５】
ところで、この種の照明器具を天井等の被取付部に埋め込む作業を行う際、まず電源部を天井裏に設置する。このとき、電力線が引っ張られても電力線の一方端が器具本体部（光源部）から外れないようにしておく必要がある。つまり、電力線に対して張力止めを施す必要がある。
【０００６】
従来、電力線の簡単な張力止めの方法としては、例えば結束バンドを用いて電力線を器具本体部に縛るものがある。
【０００７】
また、電力線の張力止めの他の方法としては、電力線の一部を屈曲させて照明器具の一部に掛止する方法がある（例えば特許文献１参照）。
【先行技術文献】
【特許文献】
【０００８】
【特許文献１】特開平９−３２０３１３号公報
【発明の概要】
【発明が解決しようとする課題】
【０００９】
しかしながら、電力線の張力止めを行うこれまでの方法では、張力止めの強さが不十分であるという問題がある。
【００１０】
例えば、結束バンドを用いる方法は、器具本体部の一部に設けられた貫通孔に結束バンドを通して、電力線を結束バンドによって器具本体部に縛る方法であるが、この方法では、電力線が結束バンドから滑り動くことがあった。
【００１１】
特に、図６に示すように、電力線１５０がゴム製の保護チューブ１５１で覆われている場合に、器具本体部１１０の貫通孔１１４に通した結束バンド１９０で保護チューブ１５１を器具本体部１１０に縛り付けると、保護チューブ１５１が結束バンド１９０から滑り動きやすくなる。
【００１２】
また、図６に示すような方法では、保護チューブ１５１（電力線１５０）を引出孔の角部で強制的に屈曲させていないので、図６の矢印に示される引っ張り方向に対して、強い張力止めを実現することができない。
【００１３】
このように、結束バンドのみで電力線を器具本体部に固定する方法では、張力止めの強さが不十分である。
【００１４】
また、電力線の一部を屈曲させて照明器具の一部に掛止する方法としては、電力線のうち器具本体部の内部に位置する部分（例えば、光源部から、電力線を器具本体部の外部へ引き出すための引出孔までの部分）を屈曲させて、電力線を器具本体部の一部に掛止させる方法がある。
【００１５】
この方法は、例えば図７Ａ及び図７Ｂに示すように、器具本体部２１０の内面に沿って凸条のリブ２１９を形成しておき、このリブ２１９と器具本体部２１０の壁部２１２との間に電力線２５０を曲げながら嵌め込んで、電力線２５０を引出孔２１３から器具本体部２１０の外部に引き出すことで張力止めを行うものである。なお、図７Ａ及び図７Ｂにおいて、電力線２５０は、保護チューブ２５１に挿通されている。
【００１６】
これにより、図７Ｂの矢印に示される引っ張り方向に対して、保護チューブ２５１（電力線２５０）の屈曲部がリブ２１９の角部に接触するので、保護チューブ２５１（電力線２５０）を動きにくくすることができる。
【００１７】
しかしながら、この方法では、リブ２１９と壁部２１２との間の隙間に保護チューブ２５１（電力線２５０）を手作業で引き回すために組立作業性が悪いという問題があった。また、リブ２１９と壁部２１２との間の隙間から保護チューブ２５１（電力線２５０）が離脱しないように、その隙間を枠体部２３０の一部によって蓋をすることもあるが、その際、保護チューブ２５１（電力線２５０）がリブ２１９や壁部２１２の上に乗り上がって枠体部２３０とリブ２１９や壁部２１２との間に保護チューブ２５１（電力線２５０）が挟み込まれること（いわゆる線噛み）が起こるという問題があった。この線噛みを防止するために、リブ２１９と壁部２１２との間の隙間の深さを保護チューブ２５１（電力線２５０）の太さに対して十分に余裕のあるものにすることも考えられるが、そうすると、張力止めの強さが不足する場合がある。
【００１８】
また、光源部２２０は取付部材２６０によって器具本体部２１０の内面に取り付けられるので、器具本体部２１０の内面には、取付部材２６０を配置するためのスペースが必要となる。この場合、リブ２１９と壁部２１２との間の隙間に保護チューブ２５１（電力線２５０）を引き回す方法では、保護チューブ２５１（電力線２５０）を器具本体部２１０の内面に沿って這わしているので、取付部材２６０を取り付けるためのスペース以外にも保護チューブ２５１（電力線２５０）を這わすためのスペースが必要となる。このため、器具本体部２１０のサイズが小さい小型の照明器具にはこの方法を採用することができなかったり、この方法では取付部材２６０の設計の自由度に支障をきたしたりするおそれがあった。
【００１９】
本発明の一態様は、このような問題を解決するためになされたものであり、器具本体部に大きなスペースを必要とすることなく、電力線の引き回し作業が容易でありながら、電力線の張力止めの強さを十分に確保できる照明器具を提供することを目的とする。
【課題を解決するための手段】
【００２０】
上記目的を達成するために、本発明に係る照明器具の一態様は、光出射方向を前方とする照明器具であって、器具本体部と、前記器具本体部に保持された光源部と、前記光源部の光出射側に配置され、前記器具本体部に取り付けられた枠体部と、前記器具本体部の外部に設置され、前記光源部を点灯させるための電源部と、前記光源部と前記電源部とを電気的に接続するための電力線とを備え、前記器具本体部は、前記光源部を囲むように設けられた壁部を有し、前記枠体部は、前記器具本体部に向かって突出し、少なくとも一部が前記壁部の内側に位置する突出部を有し、前記電力線は、当該照明器具の前後方向に屈曲しながら前記突出部と前記壁部との間を通って前記器具本体部の外部に引き出されている。
【発明の効果】
【００２１】
本発明の一態様によれば、器具本体部に大きなスペースを必要とすることなく、電力線の引き回し作業が容易でありながら、電力線の張力止めの強さを十分に確保できる。
【図面の簡単な説明】
【００２２】
【図１】実施の形態に係る照明器具の外観斜視図である。
【図２】実施の形態に係る照明器具の断面図である。
【図３】実施の形態に係る照明器具において、枠体部と器具本体部とを分離させたときの状態を示す分解斜視図である。
【図４】実施の形態に係る照明器具の要部拡大斜視断面図である。
【図５Ａ】実施の形態に係る照明器具おいて、枠体部及び透光部材を透過して見たときの平面図である。
【図５Ｂ】実施の形態に係る照明器具の要部拡大平面図（図５Ａの破線Ｘで示す領域の拡大図）である。
【図６】電力線の張力止め方法の一例を説明するための照明器具の断面図である。
【図７Ａ】電力線の張力止め方法の他の一例を説明するための照明器具の断面図である。
【図７Ｂ】電力線の張力止めの第２の方法を説明するための照明器具における器具本体部及び光源部を示す平面図である。
【発明を実施するための形態】
【００２３】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００２４】
なお、各図は、模式図であり、必ずしも厳密に図示されたものではない。また、各図において、実質的に同一の構成に対しては同一の符号を付しており、重複する説明は省略又は簡略化する。
【００２５】
（実施の形態）
まず、実施の形態に係る照明器具１の概略構成について、図１及び図２を用いて説明する。図１は、実施の形態に係る照明器具１の外観斜視図である。図２は、実施の形態に係る照明器具１の断面図であり、照明器具１の光軸Ｊを通る断面を示している。なお、各図において、光軸Ｊに平行な方向をＺ軸方向、光軸Ｊに垂直で互いに直交する２つの方向をＸ軸方向及びＹ軸方向としている。本実施の形態において、Ｚ軸方向は、鉛直方向である。
【００２６】
照明器具１は、例えば建物の天井等の被取付部に埋め込み配設されることにより下方（床や壁等）に光を照明するダウンライト等の埋込型照明器具である。本実施の形態において、照明器具１は、照明器具１から光が出射する方向（光出射方向）を前方とし、この光出射方向とは逆方向を後方としている。つまり、照明器具１が設置される天井面を基準にすると、天井面よりも床側の方向（下方）が前方であり、天井面よりも上側の方向（上方）が後方である。また、Ｚ軸正方向が前方であり、Ｚ軸負方向が後方である。
【００２７】
図１及び図２に示すように、照明器具１は、器具本体部１０と、光源部２０と、枠体部３０と、電源部４０と、電力線５０とを備える。照明器具１は、さらに、取付部材６０と、反射部材７０と、透光部材８０とを備える。
【００２８】
以下、照明器具１の各構成部材（部品）について、図１及び図２を用いて詳細に説明する。なお、詳細は図示も説明もされていないが、照明器具１には、各構成部材同士を連結固定するためのネジが適宜設けられている。
【００２９】
［器具本体部］
図１及び図２に示すように、器具本体部１０は、照明器具１の本体（器具本体）である。器具本体部１０は、光源部２０が取り付けられる取付台として機能し、光源部２０が固定される基台部１０ａを有する。基台部１０ａは、略有底円筒形状である。
【００３０】
また、器具本体部１０は、光源部２０で発生する熱を放熱するヒートシンクとしても機能する。したがって、器具本体部１０は、金属材料等の熱伝導率の高い材料によって構成されているとよい。器具本体部１０は、例えばアルミニウムからなるアルミダイカスト製である。また、本実施の形態では、放熱性を良くするために、器具本体部１０には複数の放熱フィン１０ｂが設けられている。複数の放熱フィン１０ｂは、板状であり、器具本体部１０の後方側に設けられている。例えば、複数の放熱フィン１０ｂは、基台部１０ａのウラ面に立設されている。なお、複数の放熱フィン１０ｂの一部は、Ｘ軸方向に張り出すように延設されている。
【００３１】
図２に示すように、器具本体部１０の前方側には、光源部２０が取り付けられる取付面１１が設けられている。具体的には、取付面１１は、有底円筒形状の基台部１０ａの底面である。光源部２０は、取付面１１に載置されて取付部材６０によって器具本体部１０（基台部１０ａ）に固定される。取付面１１は、平面のみで構成されている必要はなく、例えば、取付面１１の一部分が凹んだり突出したりしていてもよい。例えば、図２に示すように、取付面１１のうちの取付部材６０の一部を収納する部分が凹んでいてもよい。その他に、取付面１１のうちの光源部２０が載置される部分が凹んでいてもよい。
【００３２】
また、器具本体部１０は、光源部２０を囲むように設けられた壁部１２を有する。本実施の形態において、壁部１２は、有底円筒形状の基台部１０ａの底部の外周に沿って立設された側壁部である。具体的には、壁部１２は、環状であり、基台部１０ａの全周に設けられている。壁部１２の前方側端部は、光源部２０からの光を出射する光出射開口部である。
【００３３】
壁部１２は、器具本体部１０の外壁部であり、壁部１２の外面は照明器具１の外郭面を構成する。つまり、壁部１２の外面は露出している。
【００３４】
［光源部］
光源部２０は、照明器具１の光源の一例である。本実施の形態において、光源部２０は、ＬＥＤを有するＬＥＤ光源（ＬＥＤモジュール）である。光源部２０は、例えば、白色光を放出する白色ＬＥＤ光源である。
【００３５】
図２に示すように、光源部２０は、基板２１と、発光部２２とを備える。本実施の形態において、光源部２０は、ＬＥＤが基板２１に直接実装されたＣＯＢ（Ｃｈｉｐ  Ｏｎ  Ｂｏａｒｄ）構造である。
【００３６】
基板２１は、ＬＥＤを実装するための実装基板であって、例えば、セラミックス基板、樹脂基板又はメタルベース基板等である。なお、基板２１には、ＬＥＤを発光させるための直流電力を外部から受電するための一対の電極端子と、ＬＥＤ同士を電気的に接続するための所定のパターンの金属配線とが形成されている。
【００３７】
発光部２２は、基板２１に実装された複数のＬＥＤと、複数のＬＥＤを封止する封止部材とを有する。
【００３８】
ＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されている。なお、ＬＥＤは、少なくとも１つ配置されていればよい。
【００３９】
封止部材としては、例えば透光性樹脂が用いられる。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色光を発光する青色ＬＥＤチップである場合、白色光を得るために、例えばＹＡＧ系の黄色蛍光体を用いることができる。本実施の形態において、封止部材は、全てのＬＥＤを一括封止するように円形状に形成されているが、複数のＬＥＤを列ごとにライン状に封止してもよいし、各ＬＥＤを１つずつ個別に封止してもよい。
【００４０】
このように構成される光源部２０は、器具本体部１０に保持される。本実施の形態において、光源部２０は、取付部材６０によって器具本体部１０に固定されている。取付部材６０は、第１のホルダ６１と２つの第２のホルダ６２とによって構成されている。光源部２０は、第１のホルダ６１によって基板２１の動きが規制された状態で第１のホルダ６１と第２のホルダ６２とを器具本体部１０（基台部１０ａ）にねじ止めすることで器具本体部１０に固定される。
【００４１】
光源部２０の基板２１の電極端子と電源部４０とは第２のホルダ６２を介して電気的に接続される。光源部２０は、電源部から供給される電力によって発光し、光源部２０が発した光は、透光部材８０を透過して照明器具１の外部に出射される。
【００４２】
［枠体部］
図２に示すように、枠体部３０は、反射部材７０で反射した光が通過する筒状の枠体である。具体的には、枠体部３０には、反射部材７０で反射して透光部材８０を透過した光源部２０からの光が入射する。枠体部３０に入射した光は、枠体部３０内を通過して枠体部３０から外部に出射される。
【００４３】
枠体部３０は、枠体部３０における光入射側（光源部２０側）の端部に設けられた第１開口部３０ａと、枠体部３０における光出射側の端部に設けられた第２開口部３０ｂとを有する。
【００４４】
本実施の形態において、枠体部３０は、第１開口部３０ａから第２開口部３０ｂに向かって内径が漸次大きくなるように形成されている。つまり、枠体部３０の内面は、湾曲形状面となっている。なお、枠体部３０を補助反射部材として機能させるために、枠体部３０の内面が光反射面となっていてもよい。枠体部３０は、例えば、樹脂材料又は金属材料によって形成することができる。
【００４５】
このように構成される枠体部３０は、光源部２０の光出射側に配置される。具体的には、器具本体部１０の前方側に配置される。また、枠体部３０は、器具本体部１０に取り付けられている。具体的には、枠体部３０は、器具本体部１０の壁部１２に取り付けられている。
【００４６】
枠体部３０は、器具本体部１０に向かって突出し、少なくとも一部が器具本体部１０の壁部１２の内側に位置する突出部３１（ボス）を有する。突出部３１は、例えば長尺板状であり、枠体部３０の外面からＺ軸方向に沿って延設されている。
【００４７】
また、枠体部３０は、径方向の外向きに突出するフランジ部（鍔部）３２を有する。フランジ部３２は、枠体部３０の光出射側の縁部に設けられている。具体的には、フランジ部３２は、枠体部３０の光出射側の端部から枠体部３０の外方に突出するように環状に設けられている。
【００４８】
枠体部３０の外面には、取付バネ３３が取り付けられている。取付バネ３３は、照明器具１を天井等の被取付部に取り付けるための弾性部材であり、例えば板バネ構造を有する。取付バネ３３は、鉄等の金属材料からなる長尺状の金属板をプレス加工等によって所定形状に形成されたものである。本実施の形態では、３つの取付バネ３３が枠体部３０の外周面に取り付けられている。なお、取付バネ３３の個数は３つに限るものではない。
【００４９】
照明器具１を天井等の被取付部の開口部に配設する際、フランジ部３２を天井面に係止させることで照明器具１を天井に固定する。具体的には、フランジ部３２の上面（光源部２０側の面）を天井等の設置面に当接して、フランジ部３２と取付バネ３３とによって天井板を挟持する。このとき、取付バネ３３のバネ復元力を利用して、取付バネ３３とフランジ部３２とで天井板を挟持する。これにより、照明器具１を天井等の開口部に取り付けることができる。
【００５０】
［電源部］
図１及び図２に示される電源部４０は、光源部２０を点灯させるための電源装置である。例えば、電源部４０は、光源部２０（ＬＥＤ）を発光させるための電力を生成する電源回路によって構成されている。具体的には、電源部４０は、商用電源等の外部電源からの交流電力を、整流、平滑及び降圧等して所定レベルの直流電力に変換する。電源部４０で生成された直流電力は、電力線５０及び第２のホルダ６２を介して光源部２０に供給される。
【００５１】
電源部４０は、例えば、プリント回路基板と、プリント回路基板に実装された複数の電子部品とを有する。回路基板に実装される電子部品は、光源部２０を点灯させるためのものであり、例えば、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。なお、電源部４０には、調光回路や昇圧回路などが組み合わされていてもよい。
【００５２】
このように構成される電源部４０（電源回路）は、器具本体部１０の外部に設置される。例えば、電源部４０は、金属製又は樹脂製のケースに収納されており、電源ボックスとして天井裏に配置される。
【００５３】
［電力線］
図２に示すように、電力線５０は、光源部２０と電源部４０とを電気的に接続するための導電線である。具体的には、電力線５０は、光源部２０を点灯させるための直流電力を、電源部４０から光源部２０に供給するための電源線である。電力線５０の一方端は、器具本体部１０に固定された光源部２０と電気的に接続され、電力線５０の他方端は、器具本体部１０から引き出されて電源部４０と電気的に接続される。
【００５４】
本実施の形態おいて、電力線５０は、一対設けられている。一対の電力線５０の一方は、高電位側の第１電力線であり、一対の電力線５０の他方は、低電位側の第２電力線である。一対の電力線５０の各々は、例えば、合金銅等の導電材料からなる芯線と当該芯線を被覆する絶縁性の樹脂被膜とによって構成されたリード線である。各電力線５０の両端部分の芯線は、第２のホルダ６２及び電源部４０の各々と接続されるために露出している。
【００５５】
具体的には、各電力線５０の一方端は、取付部材６０の第２のホルダ６２に設けられたコネクタ部に接続される。本実施の形態において、第２のホルダ６２のコネクタ部は速結端子であるので、各電力線５０の一方端から露出した芯線をコネクタ部に差し込むことで、電力線５０の一方端と第２のホルダ６２とを機械的及び電気的に接続することができる。なお、第２のホルダ６２のコネクタ部は光源部２０の基板２１に設けられた電極端子と電気的に接続されている。
【００５６】
一方、各電力線５０の他方端は、電源部４０の出力端子に接続される。例えば、各電力線５０の他方端から露出した芯線を、速結端子である電源部４０の出力端子に差し込むことで、電力線５０の他方端と電源部４０とを機械的及び電気的に接続することができる。
【００５７】
なお、本実施の形態では、電力線５０と光源部２０又は電源部４０とを速結端子によって接続したが、これに限るものではない。例えば、電力線５０と光源部２０又は電源部４０とを半田等の導電性接着剤によって電気的及び機械的に接続してもよい。
【００５８】
また、図２に示すように、本実施の形態において、一対の電力線５０は、保護チューブ５１で覆われている。つまり、１本の保護チューブ５１には、２本の電力線５０が挿通されている。保護チューブ５１は、電力線５０を保護する筒状部材であり、絶縁材料によって形成されている。例えば、保護チューブ５１は、弾性変形するゴム製であり、エラストマー等の弾性を有する絶縁樹脂材料によって形成されている。
【００５９】
電力線５０は、照明器具１の前後方向に屈曲しながら枠体部３０の突出部３１と器具本体部１０の壁部１２との間を通って器具本体部１０の外部に引き出されている。本実施の形態において、電力線５０は保護チューブ５１に挿通されているので、保護チューブ５１が、照明器具１の前後方向に屈曲しながら突出部３１と壁部１２との間を通って器具本体部１０の外部に引き出されている。
【００６０】
［取付部材］
取付部材６０は、光源部２０を器具本体部１０に取り付けるための部材である。取付部材６０は、器具本体部１０（基台部１０ａ）の取付面１１に固定される。
【００６１】
本実施の形態において、取付部材６０は、第１のホルダ６１と第２のホルダ６２とによって構成されている。第１のホルダ６１及び第２のホルダ６２は、第１のホルダ６１及び第２のホルダ６２の各々に設けられた貫通孔にねじ（不図示）を挿入して器具本体部１０のねじ穴にねじ込むことで器具本体部１０に固定される。
【００６２】
第１のホルダ６１は、光源部２０の基板２１の主面水平方向（横方向）の動きを規制する。具体的には、第１のホルダ６１は、基板２１が器具本体部１０の取付面１１に沿って移動することを規制する。第１のホルダ６１は、光源部２０（基板２１）を囲むように形成された絶縁樹脂材料からなる枠体である。なお、第１のホルダ６１には、反射部材７０を固定するための爪部が設けられている。
【００６３】
第２のホルダ６２は、光源部２０を保持する機能だけではなく、通電用コネクタとしても機能する。例えば、第２のホルダ６２は、絶縁樹脂製のホルダ本体と、ホルダ本体に固定されたコネクタ部とを有する。コネクタ部は、電力線５０と電気的に接続される導電性の接続端子（接触端子）であり、例えば金属製である。
【００６４】
本実施の形態において、コネクタ部（接続端子）の一方の端部（電力線５０側の端部）は、いわゆる速結端子であり、金属板（例えば、銅板）に折り曲げ加工等を施すことで形成される。
【００６５】
また、コネクタ部の他方の端部（光源部２０側の端部）は、光源部２０の基板２１に設けられた電極端子に接触している。具体的には、第２のホルダ６２（ホルダ本体）が第１のホルダ６１を介して器具本体部１０にネジ止め固定された際に、コネクタ部の他方の端部（金属片）が弾性変形する。この弾性変形による復元力によって、コネクタ部（接続端子）は、光源部２０の電極端子を付勢して電気的に接続される。
【００６６】
［反射部材］
反射部材７０は、筒状の反射板であり、光源部２０からの光が入射する入射開口部７１と入射開口部７１から入射した光が出射する出射開口部７２とを有する。入射開口部７１は、光源部２０を囲むように形成されている。出射開口部７２の開口の大きさは、入射開口部７１の開口の大きさよりも大きくなっている。反射部材７０の内面は、光源部２０からの光を反射させる反射面となっている。
【００６７】
本実施の形態において、反射部材７０は、配光制御機能を有しており、光源部２０から出射した光を所望の方向（例えば、下方）に向くように制御している。つまり、反射部材７０は、照明器具１の主反射板（主反射部材）として機能する。反射部材７０は、例えば、光源部２０から出射した光が透光部材８０に入射するように配光制御している。
【００６８】
反射部材７０は、例えば、ＰＢＴ（ポリブチレンテレフタレート）等の硬質の白色樹脂材料によって形成されている。なお、反射部材７０は、アルミニウム等の金属材料によって形成されていてもよい。
【００６９】
このように構成される反射部材７０は、取付部材６０に固定される。具体的には、反射部材７０に形成された切り欠き部と、取付部材６０における第１のホルダ６１に設けられた爪部とを係止することで、反射部材７０が取付部材６０（第１のホルダ６１）に固定されている。
【００７０】
［透光部材］
透光部材８０は、透光性の光学部材である。透光部材８０は、光源部２０を覆うように配置される。これにより、光源部２０を保護することができる。具体的には、透光部材８０は、反射部材７０の出射開口部７２を覆うように設けられている。
【００７１】
本実施の形態において、透光部材８０は、前方に向かって突出するようにドーム状に湾曲している。具体的には、透光部材８０は、枠体部３０の内部に向かって膨出するように形成されている。
【００７２】
透光部材８０は、例えば、透光性を有する材料によって形成されている。具体的には、透光部材８０は、アクリル（ＰＭＭＡ）やポリカーボネート（ＰＣ）等の透明樹脂材料又はガラス材料によって形成することができる。透光部材８０の厚みは、例えば略一定であるが、これに限るものではない。
【００７３】
なお、透光部材８０は、平板状の平面パネルであってもよい。また、透光部材８０は、フレネルレンズ等であってもよい。つまり、透光部材８０は、配光制御機能を有していてもよい。また、透光部材８０は、光拡散性を有していてもよい。
【００７４】
［照明器具の特徴］
次に、本実施の形態に係る照明器具１の特徴について、図１及び図２を参照しながら、図３〜図５Ｂを用いて説明する。図３は、実施の形態に係る照明器具１において、枠体部３０と器具本体部１０とを分離させたときの状態を示す分解斜視図である。図４は、実施の形態に係る照明器具１の要部拡大斜視断面図である。図５Ａは、実施の形態に係る照明器具１おいて、枠体部３０及び透光部材８０を透過して見たときの平面図である。図５Ｂは、実施の形態に係る照明器具１の要部拡大平面図（図５Ａの破線Ｘで示す領域の拡大図）である。なお、図３〜図５Ｂにおいて、電力線５０の図示は省略している。また、図３において、取付バネ３３は図示されていない。
【００７５】
図４及び図５Ａに示すように、器具本体部１０には、光源部２０を囲むように壁部１２が設けられている。また、図２〜図４に示すように、枠体部３０には、器具本体部１０に向かって突出する板壁状の突出部３１が設けられている。そして、図２及び図４に示すように、電力線５０（保護チューブ５１）は、照明器具１の前後方向に屈曲しながら突出部３１と壁部１２との間を通って器具本体部１０の外部に引き出されている。
【００７６】
具体的には、電力線５０（保護チューブ５１）は、突出部３１と壁部１２との間を通ってＺ軸方向に沿って照明器具１の前方側と後方側とに交互に折り曲げられて器具本体部１０から引き出されている。
【００７７】
この場合、電力線５０は、略Ｓ字状又は略Ｚ字状に曲げられているとよい。つまり、光源部２０（取付部材６０）から導出された電力線５０（保護チューブ５１）は、突出部３１と壁部１２との間を通った後、壁部１２の先端部を支点に１８０°向きが変わるように曲げられているとよい。
【００７８】
また、本実施の形態では、図２及び図４〜図５Ｂに示すように、器具本体部１０における壁部１２の突出部３１に対向する部分には、電力線５０を器具本体部１０の外部に引き出すための孔部１３（引出孔）が設けられている。図４に示すように、孔部１３は、壁部１２の一部を切り欠くように形成されている。具体的には、孔部１３は、壁部１２の前方側の端部を後方に向かって壁部１２の途中までを切り欠くように形成されている。
【００７９】
電力線５０は、図２及び図４に示すように、保護チューブ５１で覆われた状態で、枠体部３０の突出部３１の先端部で前方に向けて折り曲げられ、さらに、孔部１３で後方に向けて折り曲げられて孔部１３から引き出されている。具体的には、保護チューブ５１は、枠体部３０の突出部３１の先端部で当接し、かつ孔部１３の内面で当接しつつ、孔部１３で折り曲げられて後方に向けて引き出されている。
【００８０】
また、図３、図５Ａ及び図５Ｂに示すように、器具本体部１０には、枠体部３０に向かって突出し、かつ、互いに向かい合う一対の対向壁部１２ａが設けられている。対向壁部１２ａは、器具本体部１０の取付面１１から立設するように形成された立設壁部である。
【００８１】
一対の対向壁部１２ａは、平面視において、孔部１３における壁部１２から器具本体部１０の内側に向けて設けられている。具体的には、一対の対向壁部１２ａの各々は、壁部１２と連続して形成されており、平面視形状が孔部１３において壁部１２の外周部分とあわせて略Ｌ字状となるように形成されている。また、本実施の形態において、一対の対向壁部１２ａの高さは、壁部１２の外周部分の高さと同じである。
【００８２】
図５Ｂに示すように、一対の対向壁部１２ａの間の距離Ｌと、一対の対向壁部１２ａの間における枠体部３０の突出部３１の幅Ｗとは、略一致している。なお、製造上の寸法公差を考慮しなければ、一対の対向壁部１２ａの間の距離Ｌと突出部３１の幅Ｗとは、完全に一致しているとよい。これにより、平面視において、一対の対向壁部１２ａの間の隙間を突出部３１で完全に塞ぐことができる。
【００８３】
また、壁部１２の孔部１３の開口幅と保護チューブ５１の太さとは略一致しているとよい。本実施の形態において、孔部１３の開口幅は、一対の対向壁部１２ａの間の距離Ｌと同じであるので、保護チューブ５１の太さは、一対の対向壁部１２ａの間の距離Ｌと略一致しているとよい。
【００８４】
この場合、保護チューブ５１の太さは、保護チューブ５１が一対の対向壁部１２ａの間に挿入された状態で、一対の対向壁部１２ａの間の距離Ｌと略一致していればよい。つまり、保護チューブ５１の太さは、保護チューブ５１が一対の対向壁部１２ａの間で挟まれて弾性変形している状態で、一対の対向壁部１２ａの間の距離Ｌと略一致していればよい。
【００８５】
なお、電力線５０を保護チューブ５１で覆わない場合、孔部１３の開口幅（一対の対向壁部１２ａの間の距離Ｌ）は、電力線５０の太さと略一致しているとよい。
【００８６】
また、図１〜図４に示すように、器具本体部１０の外壁部分には貫通孔１４が設けられている。本実施の形態において、貫通孔１４は、器具本体部１０の放熱フィン１０ｂに設けられている。
【００８７】
貫通孔１４は、電力線５０の器具本体部１０の外部に引き出された部分を器具本体部１０の外面において固定するために用いられる。例えば、図示しないが、貫通孔１４に結束バンドを通して、器具本体部１０から引き出された電力線５０の一部を結束バンドによって器具本体部１０に縛ることで電力線５０を器具本体部１０に固定することができる。なお、電力線５０を器具本体部１０の外面において固定するための固定部材は、結束バンドに限るものではない。
【００８８】
［まとめ］
本実施の形態に係る照明器具１において、器具本体部１０は、光源部２０を囲むように設けられた壁部１２を有する。また、枠体部３０は、器具本体部１０に向かって突出し、少なくとも一部が壁部１２の内側に位置する突出部３１を有する。そして、電力線５０は、照明器具１の前後方向に屈曲しながら突出部３１と壁部１２との間を通って器具本体部１０の外部に引き出されている。
【００８９】
このように、電力線５０は、取付面１１（ＸＹ平面）に対して水平方向に屈曲させるのではなく、照明器具１の前後方向（Ｚ軸方向）に屈曲させている。この構成により、器具本体部１０の取付面１１（内面）で電力線５０の張力止めをする必要が無い。これにより、器具本体部１０に大きなスペースを必要とすることなく、電力線５０の張力止めを行うことができる。
【００９０】
しかも、枠体部３０の突出部３１と器具本体部１０の壁部１２とで電力線５０を屈曲させる構成となっている。この構成により、枠体部３０を器具本体部１０に取り付ける際、電力線５０は、枠体部３０の突出部３１の先端部を支点に曲げられると同時に、器具本体部１０の壁部１２を支点に曲げられる。これにより、電力線５０を器具本体部１０の所定の位置に容易に嵌め込むことができる。
【００９１】
さらに、電力線５０は、突出部３１と壁部１２とで挟み込まれて屈曲した状態で突出部３１と壁部１２との間に嵌め込まれている。これにより、電力線５０の張力止めを強くすることができる。特に、図２の矢印に示される引っ張り方向に対して、強い張力止めを実現できる。
【００９２】
以上、本実施の形態に係る照明器具１によれば、器具本体部１０に大きなスペースを必要とすることなく、電力線５０の引き回し作業が容易でありながら、電力線５０の張力止めの強さを十分に確保できる。
【００９３】
また、本実施の形態において、壁部１２の突出部３１に対向する部分には、電力線５０を器具本体部１０の外部に引き出すための孔部１３が設けられている。
【００９４】
これにより、電力線５０は、突出部３１と孔部１３とで電力線５０を屈曲されて孔部１３から外部に引き出される。この場合、電力線５０は、突出部３１の先端部を支点に曲げられ、かつ器具本体部１０の孔部１３を支点に逆方向に曲げられて、突出部３１と壁部１２との間に嵌め込まれている。このように、器具本体部１０に設けられて孔部１３を利用して電力線５０を引き回すことによって、さらに電力線５０の引き回し作業が容易になるとともに、電力線５０の張力止めの強さを大きくできる。
【００９５】
また、本実施の形態において、電力線５０は、突出部３１の先端部で照明器具１の前方に向けて折り曲げられ、孔部１３で照明器具１の後方に向けて折り曲げられて孔部１３から引き出されている。
【００９６】
この構成により、電力線５０の張力止めの強さを格段に向上させることができる。
【００９７】
また、本実施の形態において、器具本体部１０には、枠体部３０に向かって突出し、かつ、互いに向かい合う一対の対向壁部１２ａが設けられている。一対の対向壁部１２ａは、孔部１３における壁部１２から器具本体部１０の内側に向けて設けられている。そして、一対の対向壁部１２ａの間の距離Ｌと、一対の対向壁部１２ａの間における突出部３１の幅とは、略一致している。
【００９８】
この構成により、器具本体部１０の孔部１３が電力線５０によってほぼ閉塞するので、孔部１３から虫等が器具本体部１０の内部に侵入するのを抑制できるとともに、光源部２０からの光が孔部１３から器具本体部１０の外部に漏れる（光漏れ）ことを抑制できる。
【００９９】
また、本実施の形態において、孔部１３の開口幅と電力線５０又は保護チューブ５１の太さとは略一致しているとよい。
【０１００】
この構成により、孔部１３による光源部２０の光漏れ及び虫等の侵入を一層抑制することができる。
【０１０１】
また、本実施の形態において、電力線５０の器具本体部１０の外部に引き出された部分は、さらに、器具本体部１０の外面において固定部材（結束バンド等）によって固定されているとよい。
【０１０２】
この構成により、電力線５０の張力止めの強さを一層格段に向上させることができる。
【０１０３】
また、本実施の形態において、電力線５０は、略Ｓ字状又は略Ｚ字状に曲げられているとよい。
【０１０４】
この構成により、電力線５０の張力止めの強さをより一層格段に向上させることができる。
【０１０５】
（変形例）
以上、本発明に係る照明器具について、実施の形態に基づいて説明したが、本発明は、上記実施の形態に限定されるものではない。
【０１０６】
例えば、上記の実施の形態において、電力線５０は保護チューブ５１に挿通されていたが、これに限るものではない。つまり、枠体部３０の突出部３１と器具本体部１０の壁部１２との間に電力線５０を直接挿通して引き回してもよい。この場合、保護チューブ５１ではなく、電力線５０が、枠体部３０の突出部３１の先端部で当接し、かつ孔部１３の内面で当接しつつ、孔部１３で折り曲げられて後方に向けて引き出される。
【０１０７】
また、上記の実施の形態において、光源部２０は、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップとを組み合わせることによりに白色光を放出するように構成しても構わない。
【０１０８】
また、上記の実施の形態において、ＬＥＤとして、青色ＬＥＤチップを用いたが、これに限らない。例えば、ＬＥＤとしては、青色以外の色を発光するＬＥＤチップを用いても構わない。この場合、蛍光体としては、ＬＥＤの発光波長に応じて適宜選択すればよい。
【０１０９】
また、上記の実施の形態において、光源部２０（ＬＥＤ光源）は基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【０１１０】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のその他の固体発光素子を用いてもよい。
【０１１１】
また、上記の各実施の形態における照明器具は、天井以外の被取付部に設置されていてもよい。また、本発明は、ダウンライト以外の照明器具にも適用することができる。
【０１１２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１３】
１  照明器具
１０  器具本体部
１２  壁部
１３  孔部
２０  光源部
３０  枠体部
３１  突出部
４０  電源部
５０  電力線
５１  保護チューブ
【図１】
0006497658.tif 000002
【図２】
0006497658.tif 000003
【図３】
0006497658.tif 000004
【図４】
0006497658.tif 000005
【図５Ａ】
0006497658.tif 000006
【図５Ｂ】
0006497658.tif 000007
【図６】
0006497658.tif 000008
【図７Ａ】
0006497658.tif 000009
【図７Ｂ】
0006497658.tif 000010